(57)【特許請求の範囲】
【請求項１】
一次側接続口と二次側接続口とが並設されたガス機器に用いるガス管接続ユニットであって、一次側接続口に接続される一次側管継手要素と二次側接続口に接続される二次側管継手要素とを備えた継手部材が、一次側管継手要素を有する一次側部材と二次側管継手要素を有する二次側部材とに分割され、かつ、一次側部材と二次側部材とが、一次側管継手要素と二次側管継手要素との中心間距離を増減調節可能な連結機構を介して連結されており、
前記連結機構は、
前記一次側管継手要素に接続された突出部と、
前記二次側管継手要素に接続され、かつ、長孔を有する突出部と、
前記一次側管継手要素から突出し、かつ、前記二次側管継手要素に接続された突出部の長孔を貫通する軸体とを備え、
前記一次側管継手要素と前記二次側管継手要素とは、前記軸体を支点にして相対的に回動し、
前記一次側管継手要素は、前記突出部に続く段部を有し、
前記二次側管継手要素に接続された突出部は、前記一次側管継手要素の前記段部に当接することで前記一次側管継手要素に対する前記二次側管継手要素の相対的な回動を制限する端部を有する、ガス管接続ユニット。
【請求項２】
一次側及び二次側の各管継手要素のそれぞれが、配管を接続可能な配管接続口部と、上記ガス機器の一次側又は二次側の各接続口に形成されている雄ねじにねじ込まれてその接続口に取り付けられるナット体と、このナット体が上記接続口に取り付けられたときにその接続口を上記配管接続口部に連通させるガス通路とを有する請求項１に記載したガス管接続ユニット。
【請求項３】
一次側管継手要素に、そのガス通路を開閉する開閉弁が設けられている請求項２に記載したガス管接続ユニット。
【請求項４】
ガス機器がガスメータである請求項１、請求項２のいずれかに記載したガス管接続ユニット。
【発明の詳細な説明】
【０００１】
【発明の属する技術分野】
本発明は、ガス管接続ユニット、詳しくは、ガスメータなどのガス機器に並設されている一次側及び二次側の各接続口に、一次側及び二次側の各ガス配管を接続することに用いられるガス管接続ユニットに関する。
【０００２】
【従来の技術】
図９に示したように、ガスメータなどのガス機器Ａに一次側及び二次側の２つの接続口１０，２０が下向きに設けられている場合、それらの接続口１０，２０と、図示していない一次側及び二次側の２つのガス配管とを、１つのガス管接続ユニットに備わっている一次側及び二次側の２つのガス通路を介して接続するようにすれば、接続作業の迅速化や簡略化を図ることが可能になる。
【０００３】
そこで、従来、図１０に示した一体型のガス管接続ユニットＢを用いることがあった。このガス管接続ユニットＢを図９及び図１０を参照して説明する。ガス管接続ユニットＢは、一次側接続口１０に接続される一次側管継手要素１１と二次側接続口２０に接続される二次側管継手要素２１とを一体に備えており、一次側管継手要素１１と二次側管継手要素２１との中心間距離Ｌ１が、ガス機器Ａの一次側接続口１０と二次側接続口２０との中心間距離Ｌに合うように製作されていた。また、一次側管継手要素１１には、コックでなる開閉弁Ｖが備わっており、この開閉弁Ｖを開閉操作することによって一次側ガス通路が開閉されるようになっていた。
【０００４】
【発明が解決しようとする課題】
しかしながら、図１０に示したガス管接続ユニットＢは、その全体形状との関係で、一次側や二次側の各ガス通路などを旋盤加工によって加工することに困難があるため、マシニングなどの特別の加工機械を用いて加工することを余儀なくされ、そのことが生産性を高めることの障害になるという問題があった。
【０００５】
また、一次側管継手要素１１と二次側管継手要素２１との中心間距離Ｌ１をガス機器Ａの一次側接続口１０と二次側接続口２０との中心間距離Ｌに合わせるのに高度の寸法管理が必要になるという問題や、仮に両方の中心間距離Ｌ，Ｌ１が合わないような場合が発生すると、そのガス管接続ユニットＢの取付けが不可能になるという問題があった。
【０００６】
本発明は以上の問題に鑑みてなされたものであり、ガス通路などを専用機で加工できることは勿論、旋盤でも加工できるようになり、しかも、一次側管継手要素と二次側管継手要素との中心間距離の微調整が可能になってその寸法管理を軽減することができ、しかも、取付作業性を向上させることのできるガス管接続ユニットを提供することを目的とする。
【０００７】
【課題を解決するための手段】
本発明に係るガス管接続ユニットを図面に付した符号を参照して説明する。このガス管接続ユニットＣは、一次側接続口１０と二次側接続口２０とが並設されたガス機器に用いるガス管接続ユニットである。したがって、一次側接続口に接続される一次側管継手要素１１と二次側接続口に接続される二次側管継手要素２１とを有している。
【０００８】
本発明では、一次側管継手要素１１と二次側管継手要素２１とを備えた継手部材が、一次側管継手要素を有する一次側部材３０と二次側管継手要素を有する二次側部材４０とに分割されている。このように継手部材が一次側部材と二次側部材とに分割されていると、一次側管継手要素のガス通路や二次側管継手要素のガス通路などを形成する場合に、専用機での加工が可能であることは勿論、旋盤による加工も可能になる。
【０００９】
本発明では、一次側部材３０と二次側部材４０とが、一次側管継手要素１１と二次側管継手要素２１との中心間距離Ｌ１を増減調節可能な連結機構５０を介して連結されている。このため、一次側管継手要素と二次側管継手要素との中心間距離を調節してガス機器側の一次側接続口と二次側接続口との中心間距離に合わせることが可能である。したがって、一次側管継手要素と二次側管継手要素との中心間距離の寸法管理が軽減される。
【００１０】
上記連結機構５０は、一次側管継手要素１１に接続された突出部１５と、二次側管継手要素２１に接続され、かつ、長孔を有する突出部２５と、軸体５１とを備える。軸体５１は、一次側管継手要素１１から突出し、かつ、二次側管継手要素２１に接続された突出部２５の長孔を貫通する。これらによると、孔部に嵌合された軸体を支点にして一次側部材と二次側部材とを相対的に回動させることによって、一次側管継手要素と二次側管継手要素との中心間距離が増減調節される。また、軸体が長孔状の孔部に嵌合されているので、その長孔状の孔部の中で軸体を孔部の長手方向に移動させることによっても、一次側管継手要素と二次側管継手要素との中心間距離が増減調節される。
また、一次側管継手要素１１と二次側管継手要素２１とは、軸体５１を支点にして相対的に回動する。さらに、一次側管継手要素１１は、突出部１５に続く段部１６を有する。二次側管継手要素２１に接続された突出部２５は、端部２５０を有する。端部２５０は、一次側管継手要素１１の段部１６に当接することで一次側管継手要素１１に対する二次側管継手要素２１の相対的な回動を制限する。
【００１１】
一次側及び二次側の各管継手要素１１，２１のそれぞれが、配管を接続可能な配管接続口部と、上記ガス機器の一次側又は二次側の各接続口に形成されている雄ねじにねじ込まれてその接続口に取り付けられるナット体１３，２３と、このナット体が上記接続口に取り付けられたときにその接続口を上記配管接続口部に連通させるガス通路１４，２４とを有するものであってもよい。このものによると、ナット体をガス機器側の接続口にねじ込んで取り付け、配管接続口に配管を接続すると、配管の管路がガス通路を介して接続口に接続される。
【００１２】
一次側管継手要素に、そのガス通路を開閉する開閉弁Ｖが設けられているものであってもよい。この開閉弁は、図１０で説明したコック型のものであってもよい。一次側管継手要素に開閉弁が設けられているガス管接続ユニットは、ガスメータの一次側及び二次側の各接続口に取り付けるのに適する。
【００１３】
【発明の実施の形態】
図１〜図４は参考形態によるガス管接続ユニットＣを示しており、図１〜図３はガス管接続ユニットＣの平面図、図４（ａ）は参考形態の要部の縦断正面図、（ｂ）は参考形態の要部の変形例の縦断正面図である。
【００１４】
このガス管接続ユニットＣは、一次側管継手要素１１と二次側管継手要素２１とを備えた継手部材が、一次側管継手要素１１を有する一次側部材３０と二次側管継手要素２１を有する二次側部材４０とに分割されている。図例の一次側部材３０は正面視矩形に形成されていて、その横方向の端部に一次側管継手要素１１を一体に備えている。また、二次側部材４０は正面視縦長形状に形成されている。
【００１５】
一次側部材３０と二次側部材４０とは連結機構５０を介して連結されている。連結機構５０は、図４（ａ）（ｂ）に詳細に示したように、一次側部材３０に設けられた軸体５１と、二次側部材４０に設けられた丸孔状の孔部５２とでなり、軸体５１は孔部５２に回転のみ可能に嵌合されている。軸体５１は、図４（ａ）のように一次側部材３０の貫通孔部３５に貫通されてその一次側部材３０の上面と下面とから突き出されていても、図４（ｂ）のように一次側部材３０の上部と下部とに設けられた孔部３６，３６に打ち込まれてその一次側部材３０の上面と下面とから突き出されていてもよく、いずれの場合であっても、それらの軸体５１が、二次側部材４０に設けられている上下の孔部５２に各別に嵌合している。
【００１６】
このようなガス管接続ユニットＣにおいて、図１のように一次側部材３０と二次側部材４０とを標準姿勢に保ったときには、一次側管継手要素１１と二次側管継手要素２１との中心間距離Ｌ１が最も短くなる。これに対し、図２や図３のように一次側部材３０と二次側部材４０とを連結機構５０のところで屈曲させると、上記中心間距離Ｌ１が図１の標準状態での中心間距離Ｌ１よりもわずかに短くなる。したがって、このような微調整を行うと、寸法管理を厳密に行わなくても、その中心間距離Ｌ１を図９に示したガス機器Ａの一次側接続口１０と二次側接続口２０との中心間距離Ｌに正確に合わせることが可能になり、そのことが、取付作業性を向上させることにも役立つ。
【００１７】
上記した一次側及び二次側の各管継手要素１１，２１のそれぞれは、配管を接続可能な配管接続口部（不図示）を下端部に有し、図９に示したガス機器Ａの一次側又は二次側の各接続口１０，２０に形成されている雄ねじにねじ込まれてその接続口１０，２０に取り付けられるナット体１３，２３を上端部に有していると共に、このナット体１３，２３が上記接続口１０，２０に取り付けられたときにその接続口１０，２０を上記配管接続口部に連通させるガス通路１４，２４とを有している。ガス通路１４，２４は、継手部材が一次側部材３０と二次側部材４０とに分割されていることにより、個別に専用機や旋盤で加工することが可能である。また、一次側管継手要素１１には、そのガス通路１４を開閉する開閉弁Ｖが設けられている。
【００１８】
図５〜図８は本発明の実施形態によるガス管接続ユニットＣを示しており、図５〜図７はガス管接続ユニットＣの平面図、図８（ａ）は本発明の実施形態の要部の縦断正面図、（ｂ）は本発明の実施形態の要部の変形例の縦断正面図である。
【００１９】
このガス管接続ユニットＣにおいて、図１〜図４で説明した参考形態と異なる点は、連結機構５０が、一次側部材３０に設けられた軸体５１と、二次側部材４０に設けられた長孔状の孔部５５とでなり、軸体５１が、長孔状の孔部５５に回転及び移動可能に嵌合されている点だけである。軸体５１は、図８（ａ）のように一次側部材３０の貫通孔部３５に貫通されてその一次側部材３０の上面と下面とから突き出されていても、図８（ｂ）のように一次側部材３０の上部と下部とに設けられた孔部３６，３６に打ち込まれてその一次側部材３０の上面と下面とから突き出されていてもよく、いずれの場合であっても、それらの軸体５１が、二次側部材４０に設けられている上下の長孔状の孔部５５に各別に嵌合している。その他の事項は参考形態と同様であるので、同一又は相応する部分に同一符号を付して詳細な説明を省略する。
【００２０】
この実施形態によると、長孔状の孔部５５の中で軸体５１を回転させることによっても、長孔状の孔部５５の中で軸体５１を孔部５５の長手方向に移動させることによっても、一次側管継手要素１１と二次側管継手要素２１との中心間距離Ｌ１が増減調節される。たとえば、長孔状の孔部５５の中で軸体５１を孔部５５の長手方向に移動させる場合には、図５のように軸体４１が孔部５５の中央部に位置しているときに、一次側管継手要素１１と二次側管継手要素２１との中心間距離Ｌ１が中間の長さになり、図６や図７のように軸体４１を孔部５５の一端側又は他端側に移動させたときには、上記中心間距離Ｌ１が図５の場合に比べて中心間距離Ｌ１が短くなったり長くなったりする。このような微調整を行うと、寸法管理を厳密に行わなくても、その中心間距離Ｌ１を図９に示したガス機器Ａの一次側接続口１０と二次側接続口２０との中心間距離Ｌに正確に合わせることが可能になり、そのことが、取付作業性を向上させることにも役立つ。
【００２１】
【発明の効果】
本発明によれば、ガス通路などを専用機で加工できることは勿論、旋盤によっても加工することができるようになり、しかも、一次側管継手要素と二次側接続口との中心間距離の微調整が可能になってその寸法管理を軽減することができ、しかも、取付作業性を向上させることのできるガス管接続ユニットを提供することが可能になる。
【図面の簡単な説明】
【図１】  参考形態によるガス管接続ユニットの平面図である。
【図２】  一次側管継手要素と二次側管継手要素との中心間距離を微調節した状態での参考形態によるガス管接続ユニットの平面図である。
【図３】  一次側管継手要素と二次側管継手要素との中心間距離を微調節した他の状態での参考形態によるガス管接続ユニットの平面図である。
【図４】  （ａ）は参考形態の要部の縦断正面図である。
（ｂ）は参考形態の要部の変形例の縦断正面図である。
【図５】  本発明の実施形態によるガス管接続ユニットの平面図である。
【図６】  一次側管継手要素と二次側管継手要素との中心間距離を微調節した状態での本発明の実施形態によるガス管接続ユニットの平面図である。
【図７】  一次側管継手要素と二次側管継手要素との中心間距離を微調節した他の状態での本発明の実施形態によるガス管接続ユニットの平面図である。
【図８】  （ａ）は本発明の実施形態の要部の縦断正面図である。
（ｂ）は本発明の実施形態の要部の変形例の縦断正面図である。
【図９】  ガス機器に設けられている一次側及び二次側の接続口を示した正面図である。
【図１０】  従来のガス管接続ユニットの斜視図である。
【符号の説明】
Ａ ガス機器
Ｃ ガス管接続ユニット
Ｌ１ 一次側管継手要素と二次側管継手要素との中心間距離
１０ 一次側接続口
１１ 一次側管継手要素
１３，２３ ナット体
１４，２４ ガス通路
１５，２５ 突出部
１６ 段部
２０ 二次側接続口
２１ 二次側管継手要素
３０ 一次側部材
４０ 二次側部材
５０ 連結機構
５１ 軸体
５２ 孔部
５５ 孔部
２５０ 端部
Ｖ 開閉弁
【図１】
0004221109.tif 000002
【図２】
0004221109.tif 000003
【図３】
0004221109.tif 000004
【図４】
0004221109.tif 000005
【図５】
0004221109.tif 000006
【図６】
0004221109.tif 000007
【図７】
0004221109.tif 000008
【図８】
0004221109.tif 000009
【図９】
0004221109.tif 000010
【図１０】
0004221109.tif 000011